(57)【要約】  データの伝送方法、端末機器およびネットワーク機器を提供する。前記方法は、端末機器が、アップリンクデータをスケジュールするダウンリンク制御情報（ＤＣＩ）から複数のサウンディング基準信号リソースインジケータ（ＳＲＩ）を取得することであって、前記複数のＳＲＩの中の各ＳＲＩが、少なくとも１つの電力制御パラメータに対応することと、前記端末機器が前記複数のＳＲＩの中からターゲットＳＲＩを確定することと、前記端末機器が、前記ターゲットＳＲＩの対応する少なくとも１つの電力制御パラメータに基づいて、前記アップリンクデータの電力制御パラメータを確定することと、前記端末機器が、前記アップリンクデータの電力制御パラメータに基づいて、前記アップリンクデータの送信電力を確定することとを含む。本発明の実施例において、前記端末機器は、前記複数のＳＲＩからターゲットＳＲＩを確定し、ターゲットＳＲＩの対応する少なくとも１つの電力制御パラメータに基づいて、アップリンクデータの送信電力を正確に確定することができるため、データの伝送効率を向上させる。
2021503203.tif 000002
【特許請求の範囲】
【請求項１】
データの伝送方法であって、
端末機器が、アップリンクデータをスケジュールするダウンリンク制御情報（ＤＣＩ）から複数のサウンディング基準信号リソースインジケータ（ＳＲＩ）を取得することであって、前記複数のＳＲＩの中の各ＳＲＩが、少なくとも１つの電力制御パラメータに対応することと、
前記端末機器が、前記複数のＳＲＩの中からターゲットＳＲＩを確定することと、
前記端末機器が、前記ターゲットＳＲＩの対応する少なくとも１つの電力制御パラメータに基づいて、前記アップリンクデータの電力制御パラメータを確定することと、
前記端末機器が、前記アップリンクデータの電力制御パラメータに基づいて、前記アップリンクデータの送信電力を確定することとを含むことを特徴とする、前記データの伝送方法。
【請求項２】
前記複数のサウンディング基準信号リソースインジケータ（ＳＲＩ）を取得することは、
前記端末機器が、ネットワーク機器によって送信されるビットマップシーケンスを受信することであって、前記ビットマップシーケンスが複数のビットを含み、前記複数のビットが、前記複数のＳＲＩを指示するために使用されることを含むことを特徴とする、
請求項１に記載のデータの伝送方法。
【請求項３】
前記端末機器が前記複数のＳＲＩの中からターゲットＳＲＩを確定することは、
前記端末機器が、前記複数のＳＲＩの中の最初に指示されるＳＲＩを前記ターゲットＳＲＩとして確定することを含むことを特徴とする、
請求項１または２に記載のデータの伝送方法。
【請求項４】
前記端末機器が前記複数のＳＲＩの中からターゲットＳＲＩを確定することは、
前記端末機器が、前記複数のＳＲＩの中から、前記アップリンクデータの伝送と同じビームまたは同じアンテナセットを使用してＳＲＳを伝送するＳＲＳリソースの対応するＳＲＩを前記ターゲットＳＲＩとして確定することを含むことを特徴とする、
請求項１または２に記載のデータの伝送方法。
【請求項５】
前記端末機器が前記複数のＳＲＩの中からターゲットＳＲＩを確定することは、
前記端末機器が、前記複数のＳＲＩの中から、前記アップリンクデータと擬似コロケーション（Ｑｕａｓｉ  ｃｏ−ｌｏｃａｔｉｏｎ）関係を有するＳＲＳリソースの対応するＳＲＩを前記ターゲットＳＲＩとして確定することを含むことを特徴とする、
請求項１または２に記載のデータの伝送方法。
【請求項６】
前記アップリンクデータには、前記ＤＣＩによってスケジュールされた物理アップリンク共有チャネル（ＰＵＳＣＨ）によって搬送されるアップリンクデータの一部が含まれることを特徴とする、
請求項１または２に記載のデータの伝送方法。
【請求項７】
前記ＰＵＳＣＨによって搬送されるアップリンクデータは、Ｎ個の伝送層のデータを含み、前記アップリンクデータは、前記Ｎ個の伝送層中のＭ個の伝送層のデータを含み、Ｎ＞Ｍ＞０であることを特徴とする、
請求項６に記載のデータの伝送方法。
【請求項８】
前記ターゲットＳＲＩは、前記Ｍ個の伝送層のデータに対応することを特徴とする、
請求項７に記載のデータの伝送方法。
【請求項９】
前記複数のＳＲＩの中の第１のＳＲＩに対応する少なくとも１つの電力制御パラメータは、前記第１のＳＲＩによって指示される、ＳＲＳリソースでＳＲＳを伝送するために使用される電力制御パラメータであることを特徴とする、
請求項１ないし８のいずれか一項に記載のデータの伝送方法。
【請求項１０】
前記端末機器が前記複数のＳＲＩの中からターゲットＳＲＩを確定する前に、前記伝送方法は、
前記端末機器が、ネットワーク機器によって送信された対応関係情報を受信することであって、前記対応関係情報は、前記複数のＳＲＩの中の各ＳＲＩと少なくとも１つの電力制御パラメータとの対応関係を含むことをさらに含むことを特徴とする、
請求項１ないし８のいずれか一項に記載のデータの伝送方法。
【請求項１１】
前記端末機器が、前記ターゲットＳＲＩの対応する少なくとも１つの電力制御パラメータに基づいて、前記アップリンクデータの電力制御パラメータを確定することは、
前記端末機器が、前記ターゲットＳＲＩの対応する少なくとも１つの電力制御パラメータを前記アップリンクデータの電力制御パラメータとして確定することを含むことを特徴とする、
請求項１ないし１０のいずれか一項に記載のデータの伝送方法。
【請求項１２】
前記ターゲットＳＲＩは、前記複数のＳＲＩの中の複数の第２のＳＲＩであり、
前記端末機器が、前記ターゲットＳＲＩの対応する少なくとも１つの電力制御パラメータに基づいて、前記アップリンクデータの電力制御パラメータを確定することは、
前記端末機器が、前記複数の第２のＳＲＩの対応する複数の電力制御パラメータを処理した後、前記アップリンクデータの電力制御パラメータを確定することを含むことを特徴とする、
請求項１ないし１０のいずれか一項に記載のデータの伝送方法。
【請求項１３】
前記少なくとも１つの電力制御パラメータは、前記端末機器がアップリンク送信電力を確定するために使用される経路損失値を含み、または、前記少なくとも１つの電力制御パラメータは、前記端末機器がアップリンク送信電力を確定するための経路損失値を測定するために使用されるダウンリンク信号の情報を含むことを特徴とする、
請求項１ないし１２のいずれか一項に記載のデータの伝送方法。
【請求項１４】
前記少なくとも１つの電力制御パラメータは、前記端末機器がアップリンク送信電力を確定するために使用される経路損失値を含み、
前記端末機器が、前記複数の第２のＳＲＩの対応する複数の電力制御パラメータを処理した後、前記アップリンクデータの電力制御パラメータを確定することは、
前記端末機器が、前記複数の第２のＳＲＩのそれぞれに対応する経路損失値に対して加重平均して、ターゲット経路損失値を取得することと、
前記端末機器が、前記ターゲット経路損失値を前記アップリンクデータのアップリンク送信電力を確定するために使用される経路損失値として確定することとを含むことを特徴とする、
請求項１２または１３に記載のデータの伝送方法。
【請求項１５】
前記ダウンリンク信号は、ダウンリンク同期信号ブロック（ＳＳＢ）またはチャネル状態情報基準信号（ＣＳＩ−ＲＳ）を含むことを特徴とする、
請求項１３または１４に記載のデータの伝送方法。
【請求項１６】
前記少なくとも１つの電力制御パラメータは、開ループ電力制御パラメータおよび／または閉ループ電力制御パラメータを含むことを特徴とする、
請求項１ないし１５のいずれか一項に記載のデータの伝送方法。
【請求項１７】
前記伝送方法は、
前記端末機器は、前記アップリンクデータの送信電力にしたがって、前記アップリンクデータを送信すること、
または、
前記端末機器は、前記アップリンクデータの送信電力にしたがって、電力ヘッドルームレポート（ＰＨＲ）を確定すること、
または、
前記端末機器は、前記アップリンクデータの送信電力にしたがって、前記アップリンクデータを除く他のアップリンク信号の送信電力を確定することをさらに含むことを特徴とする、
請求項１ないし１６のいずれか一項に記載のデータの伝送方法。
【請求項１８】
端末機器であって、
アップリンクデータをスケジュールするダウンリンク制御情報（ＤＣＩ）から、複数のサウンディング基準信号リソースインジケータ（ＳＲＩ）を取得するように構成される取得ユニットであって、前記複数のＳＲＩの中の各ＳＲＩが、少なくとも１つの電力制御パラメータに対応する取得ユニットと、
前記複数のＳＲＩの中からターゲットＳＲＩを確定し、
前記ターゲットＳＲＩの対応する少なくとも１つの電力制御パラメータに基づいて、前記アップリンクデータの電力制御パラメータを確定し、
前記アップリンクデータの電力制御パラメータに基づいて、前記アップリンクデータの送信電力を確定するように構成される処理ユニットとを含むことを特徴とする、前記端末機器。
【請求項１９】
前記取得ユニットは、具体的に、
ネットワーク機器によって送信されたビットマップシーケンスを受信するように構成され、前記ビットマップシーケンスが複数のビットを含み、前記複数のビットが、前記複数のＳＲＩを指示するために使用されることを特徴とする、
請求項１８に記載の端末機器。
【請求項２０】
前記処理ユニットは、具体的に、
前記複数のＳＲＩの中の最初に指示されるＳＲＩを前記ターゲットＳＲＩとして確定するように構成されることを特徴とする、
請求項１８または１９に記載の端末機器。
【請求項２１】
前記処理ユニットは、具体的に、
前記複数のＳＲＩの中から、前記アップリンクデータの伝送と同じビームまたは同じアンテナセットを使用してＳＲＳを伝送するＳＲＳリソースの対応するＳＲＩを前記ターゲットＳＲＩとして確定するように構成されることを特徴とする、
請求項１８または１９に記載の端末機器。
【請求項２２】
前記処理ユニットは、具体的に、
前記複数のＳＲＩの中から、前記アップリンクデータと擬似コロケーション関係を有するＳＲＳリソースの対応するＳＲＩを前記ターゲットＳＲＩとして確定するように構成されることを特徴とする、
請求項１８または１９に記載の端末機器。
【請求項２３】
前記アップリンクデータには、前記ＤＣＩによってスケジュールされた物理アップリンク共有チャネル（ＰＵＳＣＨ）によって搬送されるアップリンクデータの一部が含まれることを特徴とする、
請求項１８または１９に記載の端末機器。
【請求項２４】
前記ＰＵＳＣＨによって搬送されるアップリンクデータは、Ｎ個の伝送層のデータを含み、前記アップリンクデータは、前記Ｎ個の伝送層中のＭ個の伝送層のデータを含み、Ｎ＞Ｍ＞０であることを特徴とする、
請求項２３に記載の端末機器。
【請求項２５】
前記ターゲットＳＲＩは、前記Ｍ個の伝送層のデータに対応することを特徴とする、
請求項２４に記載の端末機器。
【請求項２６】
前記複数のＳＲＩの中の第１のＳＲＩに対応する少なくとも１つの電力制御パラメータは、前記第１のＳＲＩによって指示される、ＳＲＳリソースでＳＲＳを伝送するために使用される電力制御パラメータであることを特徴とする、
請求項１８ないし２５のいずれか一項に記載の端末機器。
【請求項２７】
前記取得ユニットは、さらに、
前記複数のＳＲＩの中からターゲットＳＲＩを確定する前に、ネットワーク機器によって送信された対応関係情報を受信するように構成され、前記対応関係情報は、前記複数のＳＲＩの中の各ＳＲＩと少なくとも１つの電力制御パラメータとの対応関係を含むことを特徴とする、
請求項１８ないし２５のいずれか一項に記載の端末機器。
【請求項２８】
前記処理ユニットは、具体的に、
前記ターゲットＳＲＩの対応する少なくとも１つの電力制御パラメータを前記アップリンクデータの電力制御パラメータとして確定するように構成されることを特徴とする、
請求項１８ないし２７のいずれか一項に記載の端末機器。
【請求項２９】
前記ターゲットＳＲＩは、前記複数のＳＲＩの中の複数の第２のＳＲＩであり、
前記処理ユニットは、さらに、
前記複数の第２のＳＲＩの対応する複数の電力制御パラメータに対して処理した後、前記アップリンクデータの電力制御パラメータを確定するように構成されることを特徴とする、
請求項１８ないし２７のいずれか一項に記載の端末機器。
【請求項３０】
前記少なくとも１つの電力制御パラメータは、前記端末機器がアップリンク送信電力を確定するために使用される経路損失値を含み、または、前記少なくとも１つの電力制御パラメータは、前記端末機器がアップリンク送信電力を確定するための経路損失値を測定するために使用されるダウンリンク信号の情報を含むことを特徴とする、
請求項１８ないし２９のいずれか一項に記載の端末機器。
【請求項３１】
前記少なくとも１つの電力制御パラメータは、前記端末機器がアップリンク送信電力を確定するために使用される経路損失値を含み、
前記処理ユニットは、具体的に、
前記複数の第２のＳＲＩのそれぞれに対応する経路損失値に対して加重平均した後、ターゲット経路損失値を取得し、
前記ターゲット経路損失値を前記アップリンクデータのアップリンク送信電力を確定するために使用される経路損失値として確定するように構成されることを特徴とする、
請求項２９または３０に記載の端末機器。
【請求項３２】
前記ダウンリンク信号は、ダウンリンク同期信号ブロック（ＳＳＢ）またはチャネル状態情報基準信号（ＣＳＩ−ＲＳ）を含むことを特徴とする、
請求項３０または３１に記載の端末機器。
【請求項３３】
前記少なくとも１つの電力制御パラメータは、開ループ電力制御パラメータおよび／または閉ループ電力制御パラメータを含むことを特徴とする、
請求項１８ないし３２のいずれか一項に記載の端末機器。
【請求項３４】
前記トランシーバユニットは、さらに、
前記アップリンクデータの送信電力にしたがって、前記アップリンクデータを送信するように構成され、
または、前記処理ユニットは、さらに、
前記アップリンクデータの送信電力にしたがって、電力ヘッドルームレポート（ＰＨＲ）を確定し、
または、
前記アップリンクデータの送信電力にしたがって、前記アップリンクデータを除く他のアップリンク信号の送信電力を確定するように構成されることを特徴とする、
請求項１８ないし３３のいずれか一項に記載の端末機器。
【発明の詳細な説明】
【技術分野】
【０００１】
本発明の実施例は、通信分野に関し、より具体的には、データの伝送方法、端末機器およびネットワーク機器に関する。
【背景技術】
【０００２】
ニューラジオ（ＮＲ：Ｎｅｗ  Ｒａｄｉｏ）にビームによる電力制御方法が導入されている。
【０００３】
具体的に、端末機器が異なるビームを使用して送信した信号は、独立した電力制御パラメータを有し、それにより、異なる送信電力を取得し得る。
【０００４】
しかしながら、アップリンクデータの伝送の場合、端末機器で使用される電力制御パラメータは、データの伝送に使用されるビームに関連付ける。具体的には、データの伝送に使用されるビームは、通常にデータをスケジュールするダウンリンク制御情報（ＤＣＩ：Ｄｏｗｎｌｉｎｋ  Ｃｏｎｔｒｏｌ  Ｉｎｆｏｒｍａｔｉｏｎ）に含まれるサウンディング基準信号（ＳＲＳ：Ｓｏｕｎｄｉｎｇ  Ｒｅｆｅｒｅｎｃｅ  Ｓｉｇｎａｌ）リソースインジケータ（ＳＲＩ：ＳＲＳ  Ｒｅｓｏｕｒｃｅ  Ｉｎｄｉｃａｔｉｏｎ）によって指示される。
【０００５】
したがって、端末機器が複数のビームを使用して同時にアップリンクデータを送信する場合、前記アップリンクデータの送信電力を確定する方法は、当技術分野で緊急に解決する必要がある問題である。
【発明の概要】
【発明が解決しようとする課題】
【０００６】
アップリンクデータの送信電力を正確に確定し、データの伝送効率を向上させることができるデータの伝送方法、端末機器およびネットワーク機器を提供する。
【課題を解決するための手段】
【０００７】
第１の態様において、データの伝送方法を提供し、前記方法は、
端末機器が、アップリンクデータをスケジュールするダウンリンク制御情報（ＤＣＩ）から複数のサウンディング基準信号リソースインジケータ（ＳＲＩ）を取得することであって、前記複数のＳＲＩの中の各ＳＲＩが、少なくとも１つの電力制御パラメータに対応することと、
前記端末機器が前記複数のＳＲＩの中からターゲットＳＲＩを確定することと、
前記端末機器が、前記ターゲットＳＲＩの対応する少なくとも１つの電力制御パラメータに基づいて、前記アップリンクデータの電力制御パラメータを確定することと、
前記端末機器が、前記アップリンクデータの電力制御パラメータに基づいて、前記アップリンクデータの送信電力を確定することとを含む。
【０００８】
本発明の実施例において、前記端末機器は、アップリンクデータをスケジュールするＤＣＩに含まれる複数のＳＲＩを介して、アップリンクデータの伝送に使用されるビームを指示するだけでなく、また、前記複数のＳＲＩの中の各ＳＲＩは、少なくとも１つの電力制御パラメータに対応することもできる。これにより、前記端末機器は、前記複数のＳＲＩからターゲットＳＲＩを確定し、ターゲットＳＲＩの対応する少なくとも１つの電力制御パラメータに基づいて、アップリンクデータの送信電力を正確に確定することができるため、データの伝送効率を向上させる。
【０００９】
いくつかの可能な実現方式において、前記複数のサウンディング基準信号リソースインジケータ（ＳＲＩ）を取得することは、
前記端末機器が、ネットワーク機器によって送信されるビットマップシーケンスを受信することであって、前記ビットマップシーケンスが複数のビットを含み、前記複数のビットが、前記複数のＳＲＩを指示するために使用されることを含む。
【００１０】
いくつかの可能な実現方式において、前記端末機器が前記複数のＳＲＩの中からターゲットＳＲＩを確定することは、
前記端末機器が、前記複数のＳＲＩの中の最初に指示されるＳＲＩを前記ターゲットＳＲＩとして確定することを含む。
【００１１】
いくつかの可能な実現方式において、前記端末機器が前記複数のＳＲＩの中からターゲットＳＲＩを確定することは、
前記端末機器が、前記複数のＳＲＩの中から、前記アップリンクデータの伝送と同じビームまたは同じアンテナセットを使用してＳＲＳを伝送するＳＲＳリソースの対応するＳＲＩを前記ターゲットＳＲＩとして確定することを含む。
【００１２】
いくつかの可能な実現方式において、前記端末機器が前記複数のＳＲＩの中からターゲットＳＲＩを確定することは、
前記端末機器が、前記複数のＳＲＩの中から、前記アップリンクデータと擬似コロケーション関係を有するＳＲＳリソースの対応するＳＲＩを前記ターゲットＳＲＩとして確定することを含む。
【００１３】
いくつかの可能な実現方式において、前記アップリンクデータには、前記ＤＣＩによってスケジュールされた物理アップリンク共有チャネル（ＰＵＳＣＨ）によって搬送されるアップリンクデータの一部が含まれる。
【００１４】
いくつかの可能な実現方式において、前記ＰＵＳＣＨによって搬送されるアップリンクデータは、Ｎ個の伝送層のデータを含み、前記アップリンクデータは、前記Ｎ個の伝送層中のＭ個の伝送層のデータを含み、Ｎ＞Ｍ＞０である。
【００１５】
いくつかの可能な実現方式において、前記ターゲットＳＲＩは、前記Ｍ個の伝送層のデータに対応する。
【００１６】
いくつかの可能な実現方式において、前記複数のＳＲＩの中の第１のＳＲＩに対応する少なくとも１つの電力制御パラメータは、前記第１のＳＲＩによって指示される、ＳＲＳリソースでＳＲＳを伝送するために使用される電力制御パラメータである。
【００１７】
いくつかの可能な実現方式において、前記端末機器が前記複数のＳＲＩの中からターゲットＳＲＩを確定する前に、前記方法は、
前記端末機器が、ネットワーク機器によって送信された対応関係情報を受信することであって、前記対応関係情報は、前記複数のＳＲＩの中の各ＳＲＩと少なくとも１つの電力制御パラメータとの対応関係を含むことをさらに含む。
【００１８】
いくつかの可能な実現方式において、前記端末機器が、前記ターゲットＳＲＩの対応する少なくとも１つの電力制御パラメータに基づいて、前記アップリンクデータの電力制御パラメータを確定することは、
前記端末機器が前記ターゲットＳＲＩの対応する少なくとも１つの電力制御パラメータを前記アップリンクデータの電力制御パラメータとして確定することを含む。
【００１９】
いくつかの可能な実現方式において、前記ターゲットＳＲＩは、前記複数のＳＲＩの中の複数の第２のＳＲＩであり、前記端末機器が、前記ターゲットＳＲＩの対応する少なくとも１つの電力制御パラメータに基づいて、前記アップリンクデータの電力制御パラメータを確定することは、
前記端末機器が、前記複数の第２のＳＲＩの対応する複数の電力制御パラメータを処理した後、前記アップリンクデータの電力制御パラメータを確定することを含む。
【００２０】
いくつかの可能な実現方式において、前記少なくとも１つの電力制御パラメータは、前記端末機器がアップリンク送信電力を確定するために使用される経路損失値を含み、または、前記少なくとも１つの電力制御パラメータは、前記端末機器がアップリンク送信電力を確定するための経路損失値を測定するために使用されるダウンリンク信号の情報を含む。
【００２１】
いくつかの可能な実現方式において、前記少なくとも１つの電力制御パラメータは、前記端末機器がアップリンク送信電力を確定するために使用される経路損失値を含み、前記端末機器は、前記複数の第２のＳＲＩの対応する複数の電力制御パラメータを処理した後、前記アップリンクデータの電力制御パラメータを確定することは、
前記端末機器は、前記複数の第２のＳＲＩのそれぞれに対応する経路損失値に対して加重平均して、ターゲット経路損失値を取得することと、前記端末機器が、前記ターゲット経路損失値を前記アップリンクデータのアップリンク送信電力を確定するために使用される経路損失値として確定することとを含む。
【００２２】
いくつかの可能な実現方式において、前記ダウンリンク信号は、ダウンリンク同期信号ブロック（ＳＳＢ）またはチャネル状態情報基準信号（ＣＳＩ−ＲＳ）を含む。
【００２３】
いくつかの可能な実現方式において、前記少なくとも１つの電力制御パラメータは、開ループ電力制御パラメータおよび／または閉ループ電力制御パラメータを含む。
【００２４】
いくつかの可能な実現方式において、前記方法は、
前記端末機器は、前記アップリンクデータの送信電力にしたがって、前記アップリンクデータを送信すること、または、前記端末機器は、前記アップリンクデータの送信電力にしたがって、電力ヘッドルームレポート（ＰＨＲ）を確定すること、または、前記端末機器は、前記アップリンクデータの送信電力にしたがって、前記アップリンクデータを除く他のアップリンク信号の送信電力を確定することをさらに含む。
【００２５】
第２の態様において、データの伝送方法を提供し、前記方法は、
ネットワーク機器が複数のサウンディング基準信号リソースインジケータ（ＳＲＩ）を確定することであって、前記複数のＳＲＩの中の各ＳＲＩが、少なくとも１つの電力制御パラメータに対応することと、
前記ネットワーク機器が端末機器に前記複数のＳＲＩを送信することとを含む。
【００２６】
いくつかの可能な実現方式において、前記ネットワーク機器が端末機器に前記複数のＳＲＩを送信することは、
前記ネットワーク機器が前記端末機器にビットマップシーケンスを送信することであって、前記ビットマップシーケンスが複数のビットを含み、前記複数のビットが、前記複数のＳＲＩを指示するために使用されることを含む。
【００２７】
いくつかの可能な実現方式において、前記ネットワーク機器が端末機器に前記複数のＳＲＩを送信する前に、前記方法は、
前記ネットワーク機器が前記端末機器に対応関係情報を送信することであって、前記対応関係情報は、前記複数のＳＲＩの中の各ＳＲＩと少なくとも１つの電力制御パラメータとの対応関係を含むことをさらに含む。
【００２８】
いくつかの可能な実現方式において、前記少なくとも１つの電力制御パラメータは、前記端末機器がアップリンク送信電力を確定するために使用される経路損失値を含み、または、前記少なくとも１つの電力制御パラメータは、前記端末機器がアップリンク送信電力を確定するための経路損失値を測定するために使用されるダウンリンク信号の情報を含むことを特徴とする。
【００２９】
いくつかの可能な実現方式において、前記ダウンリンク信号は、ダウンリンク同期信号ブロック（ＳＳＢ）またはチャネル状態情報基準信号（ＣＳＩ−ＲＳ）を含む。
【００３０】
いくつかの可能な実現方式において、前記少なくとも１つの電力制御パラメータは、開ループ電力制御パラメータおよび／または閉ループ電力制御パラメータを含むことを特徴とする。
【００３１】
いくつかの可能な実現方式において、前記方法は、
前記ネットワーク機器が、前記端末機器によって送信されたアップリンクデータを受信することをさらに含む。
【００３２】
第３の態様において、端末機器を提供し、前記端末機器は、
アップリンクデータをスケジュールするダウンリンク制御情報（ＤＣＩ）から、複数のサウンディング基準信号リソースインジケータ（ＳＲＩ）を取得するように構成される取得ユニットであって、前記複数のＳＲＩの中の各ＳＲＩが、少なくとも１つの電力制御パラメータに対応する取得ユニットと、
前記複数のＳＲＩの中からターゲットＳＲＩを確定し、前記ターゲットＳＲＩの対応する少なくとも１つの電力制御パラメータに基づいて、前記アップリンクデータの電力制御パラメータを確定し、前記アップリンクデータの電力制御パラメータに基づいて、前記アップリンクデータの送信電力を確定するように構成される処理ユニットとを含む。
【００３３】
第４の態様において、端末機器を提供し、前記端末機器は、
アップリンクデータをスケジュールするダウンリンク制御情報（ＤＣＩ）から、複数のサウンディング基準信号リソースインジケータ（ＳＲＩ）を取得するように構成されるフェッチャ（ｆｅｔｃｈｅｒ）であって、前記複数のＳＲＩの中の各ＳＲＩが、少なくとも１つの電力制御パラメータに対応するフェッチャと、
前記複数のＳＲＩの中からターゲットＳＲＩを確定し、前記ターゲットＳＲＩの対応する少なくとも１つの電力制御パラメータに基づいて、前記アップリンクデータの電力制御パラメータを確定し、前記アップリンクデータの電力制御パラメータに基づいて、前記アップリンクデータの送信電力を確定するように構成されるプロセッサとを含む。
【００３４】
第５の態様において、ネットワーク機器を提供し、前記ネットワーク機器は、
複数のサウンディング基準信号リソースインジケータ（ＳＲＩ）を確定するように構成される処理ユニットであって、前記複数のＳＲＩの中の各ＳＲＩが、少なくとも１つの電力制御パラメータに対応する処理ユニットと、
端末機器に前記複数のＳＲＩを送信するように構成されるトランシーバユニットとを含む。
【００３５】
第６の態様において、ネットワーク機器を提供し、前記ネットワーク機器は、
複数のサウンディング基準信号リソースインジケータ（ＳＲＩ）を確定するように構成されるプロセッサであって、前記複数のＳＲＩの中の各ＳＲＩが、少なくとも１つの電力制御パラメータに対応するプロセッサと、
端末機器に前記複数のＳＲＩを送信するように構成されるトランシーバとを含む。
【００３６】
第７の態様において、コンピュータプログラムを記憶するためのコンピュータ読み取り可能な媒体を提供し、前記コンピュータプログラムは、前記第１の態様または第２の態様の方法実施例を実行するための命令を含む。
【００３７】
第８の態様において、入力インターフェース、出力インターフェース、少なくとも１つのプロセッサ、およびメモリを含むコンピュータチップを提供し、前記プロセッサは、前記メモリ内のコードを実行するように構成され、前記コードが実行されるときに、前記プロセッサは、前記第１の態様および様々な実現方式におけるデータの伝送方法中の端末機器によって実行される各プロセスを実現することができる。
【００３８】
第９の態様において、入力インターフェース、出力インターフェース、少なくとも１つのプロセッサ、およびメモリを含むコンピュータチップを提供し、前記プロセッサは、前記メモリ内のコードを実行するように構成され、前記コードが実行されるときに、前記プロセッサは、前記第２の態様および様々な実現方式におけるデータの伝送方法中のネットワーク機器によって実行される各プロセスを実現することができる。
【００３９】
第１０の態様において、前記ネットワーク機器、および前記端末機器を含む通信システムを提供する。
【図面の簡単な説明】
【００４０】
【図１】本発明の適用シナリオの一例である。
【図２】本発明の実施例のデータの伝送方法の例示的なフローチャートである。
【図３】本発明の実施例の端末機器の例示的なブロック図である。
【図４】本発明の実施例の別の端末機器の例示的なブロック図である。
【図５】本発明の実施例のネットワーク機器の例示的なブロック図である。
【図６】本発明の実施例の別のネットワーク機器の例示的なブロック図である。
【発明を実施するための形態】
【００４１】
図１は、本発明の実施例の適用シナリオの例示図である。
【００４２】
図１に示されるように、通信システム１００は、端末機器１１０とネットワーク機器１２０を含み得る。ネットワーク機器１２０は、エアインターフェースを介して端末機器１１０と通信してもよい。端末機器１１０とネットワーク機器１２０との間にはマルチサービス伝送がサポートされている。
【００４３】
本発明の実施例は、ただ通信システム１００を例示的に説明したが、本発明の実施例はこれに限定されない。即ち、本発明の実施例の技術的解決策は、例えば、グローバル移動通信（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、コード分離多重アクセス（ＣＤＭＡ：Ｃｏｄｅ  Ｄｉｖｉｓｉｏｎ  Ｍｕｌｔｉｐｌｅ  Ａｃｃｅｓｓ）システム、広帯域コード分離多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ時分離二重化（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）などの様々な通信システムに適用されることができる。
【００４４】
さらに、本発明は、ネットワーク機器と端末機器に合わせて各実施例を説明する。
【００４５】
ここで、ネットワーク機器１２０は、ネットワーク側で信号を送信または受信するために使用される任意のエンティティを指し得る。例えば、マシンタイプ通信（ＭＴＣ）のユーザ機器、ＧＳＭまたはＣＤＭＡの基地局（ＢＴＳ：Ｂａｓｅ  Ｔｒａｎｓｃｅｉｖｅｒ  Ｓｔａｔｉｏｎ）、ＷＣＤＭＡの基地局（ＮｏｄｅＢ）、ＬＴＥの進化型の基地局（ｅＮＢまたはｅＮｏｄｅＢ：Ｅｖｏｌｕｔｉｏｎａｌ  Ｎｏｄｅ  Ｂ）、５Ｇネットワークの基地局機器等であり得る。
【００４６】
端末機器１１０は、任意の端末機器であり得る。具体的に、端末機器１１０は、無線アクセスネットワーク（ＲＡＮ：Ｒａｄｉｏ  Ａｃｃｅｓｓ  Ｎｅｔｗｏｒｋ）を介して１つまたは複数のコアネットワーク（Ｃｏｒｅ  Ｎｅｔｗｏｒｋ）と通信することができ、アクセス端末、ユーザ機器（ＵＥ：Ｕｓｅｒ  Ｅｑｕｉｐｍｅｎｔ）、ユーザユニット、ユーザステーション、移動局、移動局、遠隔局、遠隔端末、移動機器、ユーザ端末、端末、無線通信機器、ユーザエージェントまたはユーザ装置とも呼ばれ得る。例えば、携帯電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を備えたハンドヘルド機器、コンピューティングまたはワイヤレスモデムに接続された他の処理機器、車載機器、ウェアラブル機器および５Ｇネットワークの端末機器等であり得る。
【００４７】
図２は、本発明の実施例のデータの伝送方法の例示的なフローチャートである。
【００４８】
図２に示されるように、前記方法は次のようなステップを含む。
【００４９】
ステップ２１０において、ネットワーク機器が少なくとも１つのＳＲＩを確定し、前記少なくとも１つのＳＲＩが少なくとも１つの電力制御パラメータに対応する。
【００５０】
ステップ２２０において、前記ネットワーク機器は、端末機器に前記少なくとも１つのＳＲＩを送信する。
【００５１】
ステップ２３０において、前記端末機器は、前記少なくとも１つのＳＲＩにしたがって、アップリンクデータの送信電力を確定する。
【００５２】
具体的に、端末機器は、アップリンクデータをスケジュールするＤＣＩから複数のＳＲＩを取得し、前記複数のＳＲＩの中の各ＳＲＩは、少なくとも１つの電力制御パラメータに対応し、これにより、前記端末機器は、前記複数のＳＲＩからターゲットＳＲＩを確定し、前記ターゲットＳＲＩの対応する少なくとも１つの電力制御パラメータに基づいて、前記アップリンクデータの電力制御パラメータを確定することができ、さらに、前記端末機器は、前記アップリンクデータの電力制御パラメータに基づいて、前記アップリンクデータの送信電力を確定することができる。
【００５３】
例えば、前記端末機器は、アップリンクデータをスケジュールするＤＣＩからビットマップシーケンスを取得し、前記ビットマップシーケンスが複数のビットを含むことができ、前記複数のビットは前記複数のＳＲＩを指示するために使用される。そして、前記複数のＳＲＩの中の各ＳＲＩは、少なくとも１つの電力制御パラメータに対応する。
【００５４】
例えば、端末は、Ｎ個の独立したＳＲＩを直接に構成することができ、各ＳＲＩは、ｋ個のビットを含み、１つのＳＲＳリソースに対応する。
【００５５】
本発明の実施例において、前記端末機器は、アップリンクデータをスケジュールするＤＣＩに含まれる複数のＳＲＩを介してアップリンクデータの伝送に使用されるビームを指示することができるだけでなく、また、前記複数のＳＲＩの中の各ＳＲＩは、少なくとも１つの電力制御パラメータに対応することに留意されたい。
【００５６】
即ち、前記端末機器は、前記複数のＳＲＩの中の各ＳＲＩに対応する少なくとも１つの電力制御パラメータで、１つのＳＲＩに対応する少なくとも１つの電力制御パラメータを確定することができ、前記ＳＲＩに対応する少なくとも１つの電力制御パラメータに基づいて、前記アップリンクデータ電力制御パラメータを確定する。説明の便宜上、本発明の実施例では前記ＳＲＩをターゲットＳＲＩと称する。
【００５７】
以下、本発明の実施例において前記複数のＳＲＩの中の各ＳＲＩが少なくとも１つの電力制御パラメータに対応する実現方式を説明する。
【００５８】
一実施例において、前記複数のＳＲＩの中の各ＳＲＩによって指示されるＳＲＳリソース上でＳＲＳを伝送するために使用される電力制御パラメータは、ネットワーク機器によって予め構成することができる。
【００５９】
言い換えれば、前記複数のＳＲＩの中の第１のＳＲＩに対応する少なくとも１つの電力制御パラメータは、前記第１のＳＲＩによって指示される、ＳＲＳリソースでＳＲＳを伝送するために使用される電力制御パラメータである。前記第１のＳＲＩは前記複数のＳＲＩの中のいずれか１つのＳＲＩである。
【００６０】
即ち、本発明の実施例におけるターゲットＳＲＩの対応する少なくとも１つの電力制御パラメータは、前記ターゲットＳＲＩによって指示されるＳＲＳリソース上でＳＲＳを伝送するために使用される電力制御パラメータである。
【００６１】
別の実施例において、前記複数のＳＲＩと、前記複数のＳＲＩの中の各ＳＲＩに対応する少なくとも１つの電力制御パラメータは、１つの対応関係情報が存在する。端末機器は、前記対応関係、および確定されたターゲットＳＲＩにしたがって、前記アップリンクデータの電力制御パラメータを確定し、さらに前記アップリンクデータの送信電力を確定することができる。
【００６２】
さらに、前記端末機器がアップリンクデータをスケジュールするＤＣＩから複数のＳＲＩを取得する前に、ネットワーク機器によって送信された対応関係情報を受信することができる。さらに、前記対応関係情報、および確定されたターゲットＳＲＩにしたがって、前記アップリンクデータの少なくとも１つの電力制御パラメータを確定し、前記アップリンクデータの送信電力をさらに確定する。
【００６３】
本発明の実施例の技術的解決策の理解を容易にするために、以下、本発明の実施例における少なくとも１つの電力制御パラメータを例示的に説明する。
【００６４】
具体的には、本発明の実施例における少なくとも１つの電力制御パラメータは、アップリンク送信電力を確定するための任意のパラメータを含み得る。
【００６５】
例えば、前記少なくとも１つの電力制御パラメータは、前記端末機器がアップリンク送信電力を確定するために使用される経路損失値を含み、または、前記少なくとも１つの電力制御パラメータは、前記端末機器がアップリンク送信電力を確定するための経路損失値を測定するために使用されるダウンリンク信号の情報を含み得る。選択的に、前記ダウンリンク信号は、ダウンリンク同期信号ブロック（ＳＳＢ）またはチャネル状態情報基準信号（ＣＳＩ−ＲＳ）を含む。
【００６６】
別の例では、前記少なくとも１つの電力制御パラメータは、開ループ電力制御パラメータおよび／または閉ループ電力制御パラメータをさらに含むことができる。
【００６７】
例えば、端末機器は、以下の式にしたがってアップリンク送信電力を確定することができる。
【００６８】
2021503203.tif 000003
例えば、本発明の実施例におけるダウンリンク信号の情報は、ネットワーク機器によって予め設定された複数のダウンリンク基準信号のうち、経路損失値を測定するためのターゲットダウンリンク基準信号のインデックスであり得る。例えば、前記式の中のｋである。
【００６９】
2021503203.tif 000004
しかしながら、前記少なくとも１つの電力制御パラメータは、前記式のみで例示的に説明され、本発明の実施例はこれに限定されないことを理解されたい。
【００７０】
本発明の実施例において、前記ターゲットＳＲＩは１つのＳＲＩのみを含むこともでき、複数のＳＲＩを含むこともできることも理解されたい。
【００７１】
例えば、前記ターゲットＳＲＩは、１つのＳＲＩのみを含み得る。
【００７２】
具体的には、前記端末機器は、前記ターゲットＳＲＩの対応する少なくとも１つの電力制御パラメータを前記アップリンクデータの電力制御パラメータとして確定することができる。
【００７３】
別の例では、前記ターゲットＳＲＩは、前記複数のＳＲＩの中の複数の第２のＳＲＩであり、
具体的には、前記端末機器は、前記複数の第２のＳＲＩの対応する複数の電力制御パラメータを処理した後、前記アップリンクデータの電力制御パラメータを確定することができる。
【００７４】
より具体的には、前記少なくとも１つの電力制御パラメータには、前記端末機器がアップリンク送信電力を確定するために使用される経路損失値が含まれるとした場合、前記端末機器は、前記複数の第２のＳＲＩのそれぞれに対応する経路損失値に対して加重平均した後、ターゲット経路損失値を取得し、さらに、前記ターゲット経路損失値を、前記アップリンクデータのアップリンク送信電力を確定するために使用される経路損失値として確定する。
【００７５】
前記端末機器が前記ターゲットＳＲＩにしたがって前記アップリンクデータの電力制御パラメータを確定することは、例示的な説明に過ぎず、本発明の実施例はこれに限定されないことを理解されたい。例えば、前記端末機器は、前記複数の第２のＳＲＩのそれぞれに対応する経路損失値以外のパラメータを処理して、前記アップリンクデータの電力制御パラメータを確定することができる。
【００７６】
以下は、前記端末機器が前記複数のＳＲＩの中からターゲットＳＲＩを確定する実現方式について例示的に説明する。
【００７７】
一実施例において、前記端末機器は、前記複数のＳＲＩの中の最初に指示されるＳＲＩを前記ターゲットＳＲＩとして確定する。
【００７８】
具体的には、前記ＤＣＩ中のＳＲＩ指示フィールドがＮ個のＳＲＩを指示するとした場合、対応する指示情報のＤＣＩ中の最も先頭に位置するＳＲＩをターゲットＳＲＩとして使用する。例えば、ビットマップ（ｂｉｔｍａｐ）の方法を使用して前記複数のＳＲＩを指示する場合、即ち、ｂｉｔｍａｐシーケンスの各ビットが１つのＳＲＳリソースを指示し、それにより、１つのＳＲＩに対応する。ターゲットＳＲＩは、ｂｉｔｍａｐ中の１で指示される一番目のビット位に対応するＳＲＩである。
【００７９】
別の実施例において、前記端末機器は、前記複数のＳＲＩの中から、前記アップリンクデータの伝送と同じビームまたは同じアンテナセットを使用してＳＲＳを伝送するＳＲＳリソースの対応するＳＲＩを前記ターゲットＳＲＩとして確定することができる。
【００８０】
具体的には、前記端末機器は、前記複数のＳＲＩに対応するＳＲＳリソースの中から、ターゲットＳＲＳリソースを確定することができ、ターゲットＳＲＳリソース上でＳＲＳを伝送するために使用されるビームまたはアンテナセットを使用して前記アップリンクデータを伝送し、前記アップリンクデータの送信電力を確定するために、前記ターゲットＳＲＳリソースの対応するＳＲＩをターゲットＳＲＩとして使用する。
【００８１】
言い換えれば、本発明の実施例において、同じビームまたはアンテナセットを使用してＳＲＳおよび前記アップリンクデータを伝送する。
【００８２】
本発明の実施例におけるアンテナセットは、前記端末機器の送信アンテナ中の一部または全部のアンテナを含み得ることを理解された。例えば、前記端末機器の送信アンテナをいくつかの独立したアンテナセットに分離して、それぞれにアップリンクデータを伝送するために使用する。即ち、前記アンテナセットは、１つのアンテナアレイパネル（ｐａｎｅｌ）であり得る。
【００８３】
別の実施例において、前記端末機器は、前記複数のＳＲＩの中から、前記アップリンクデータと擬似コロケーション関係を有するＳＲＳリソースの対応するＳＲＩを前記ターゲットＳＲＩとして確定することができる。具体的に、前記ＳＲＳリソースは、前記アップリンクデータと空間受信パラメータについて擬似コロケーションすることができる。
【００８４】
別の実施例において、前記アップリンクデータは、前記ＤＣＩによってスケジュールされる物理アップリンク共有チャネル（ＰＵＳＣＨ）によって搬送されるアップリンクデータの一部を含む。
【００８５】
例えば、前記ＰＵＳＣＨによって搬送されるアップリンクデータは、Ｎ個の伝送層のデータを含み、前記アップリンクデータは、前記Ｎ個の伝送層のうちのＭ個の伝送層のデータを含み、ここで、Ｎ＞Ｍ＞０である。例えば、最も典型的なシナリオは、Ｍ＝１であり、即ち、前記アップリンクデータは、１つの伝送層のデータのみを含む。
【００８６】
本発明の実施例において、前記ターゲットＳＲＩは、前記Ｍ個の伝送層のデータに対応することができる。具体的に、Ｍ≧２である場合、前記Ｍ個の伝送層のデータは、１つの同じＳＲＩに対応する。しかし、本発明の実施例はこれに限定されない。
【００８７】
例えば、前記Ｍ個の伝送層のデータは複数のＳＲＩに対応することもできる。
【００８８】
言い換えれば、前記アップリンクデータが、前記ＤＣＩによってスケジュールされるＰＵＳＣＨによって搬送される一部のデータである場合、例えば、前記ＰＵＳＣＨによって搬送される複数のデータ伝送層のうちの1つのデータ伝送層である場合、前記端末機器は、各データ伝送層に対してすべてそれぞれの送信電力を確定することができる。
【００８９】
さらに、本発明の実施例における前記アップリンクデータの送信電力は、前記アップリンクデータを送信するために使用されてもよく、前記アップリンクデータを送信するために使用されなくてもよい。例えば、前記端末機器は実際にアップリンクデータが存在しない。
【００９０】
例えば、前記端末機器は、前記アップリンクデータの送信電力にしたがって、現在のＰＵＳＣＨの電力ヘッドルームレポート（ＰＨＲ：Ｐｏｗｅｒ  Ｈｅａｄｒｏｏｍ  Ｒｅｐｏｒｔ）を計算することを確定し、それをネットワーク機器にレポートする。
【００９１】
別の例では、前記端末機器は、前記アップリンクデータの送信電力にしたがって、前記アップリンクデータを除く他のアップリンク信号の送信電力を確定する。例えば、前記アップリンク信号はＳＲＳであってもよく、具体的には、前記端末機器は、計算されたアップリンクデータの送信電力にしたがって、一定のオフセット値を加えて、ＳＲＳの送信電力を得ることができる。
【００９２】
本発明の実施例の主旨は、端末機器が、アップリンクデータをスケジュールするＤＣＩから取得した複数のＳＲＩの中の各ＳＲＩを少なくとも１つの電力制御パラメータに対応させて、これにより、前記端末機器は、前記複数のＳＲＩからターゲットＳＲＩを確定し、前記ターゲットＳＲＩの対応する少なくとも１つの電力制御パラメータに基づいて、前記アップリンクデータの送信電力を確定することができることであると理解されたい。
【００９３】
即ち、前記具体的な実施例は、本出願の例示的な実施例に過ぎず、本発明の実施例はこれに限定されない。
【００９４】
図３は、本発明の実施例の端末機器の例示的なブロック図である。
【００９５】
図３に示されるように、前記端末機器３００は、
アップリンクデータをスケジュールするダウンリンク制御情報（ＤＣＩ）から、複数のサウンディング基準信号リソースインジケータ（ＳＲＩ）を取得するように構成される取得ユニット３１０であって、前記複数のＳＲＩの中の各ＳＲＩが、少なくとも１つの電力制御パラメータに対応する取得ユニット３１０と、前記複数のＳＲＩの中からターゲットＳＲＩを確定し、前記ターゲットＳＲＩの対応する少なくとも１つの電力制御パラメータに基づいて、前記アップリンクデータの電力制御パラメータを確定し、前記アップリンクデータの電力制御パラメータに基づいて、前記アップリンクデータの送信電力を確定するように構成される処理ユニット３２０とを含む。
【００９６】
選択的に、前記取得ユニット３１０は、具体的に、
ネットワーク機器によって送信されたビットマップシーケンスを受信するように構成され、前記ビットマップシーケンスが複数のビットを含み、前記複数のビットが、前記複数のＳＲＩを指示するために使用される。
【００９７】
選択的に、前記処理ユニット３２０は、具体的に、
前記複数のＳＲＩの中の最初に指示されるＳＲＩを、前記ターゲットＳＲＩとして確定するように構成される。
【００９８】
選択的に、前記処理ユニット３２０は、具体的に、
前記複数のＳＲＩの中から、前記アップリンクデータの伝送と同じビームまたは同じアンテナセットを使用してＳＲＳを伝送するＳＲＳリソースの対応するＳＲＩを前記ターゲットＳＲＩとして確定するように構成される。
【００９９】
選択的に、前記処理ユニット３２０は、具体的に、
前記複数のＳＲＩの中から、前記アップリンクデータと擬似コロケーション関係を有するＳＲＳリソースの対応するＳＲＩを前記ターゲットＳＲＩとして確定するように構成される。
【０１００】
選択的に、前記アップリンクデータには、前記ＤＣＩによってスケジュールされる物理アップリンク共有チャネル（ＰＵＳＣＨ）によって搬送されるアップリンクデータの一部が含まれる。
【０１０１】
選択的に、前記ＰＵＳＣＨによって搬送されるアップリンクデータは、Ｎ個の伝送層のデータを含み、前記アップリンクデータは、前記Ｎ個の伝送層中のＭ個の伝送層のデータを含み、Ｎ＞Ｍ＞０である。
【０１０２】
選択的に、前記ターゲットＳＲＩは、前記Ｍ個の伝送層のデータに対応する。
【０１０３】
選択的に、前記複数のＳＲＩの中の第１のＳＲＩに対応する少なくとも１つの電力制御パラメータは、前記第１のＳＲＩによって指示される、ＳＲＳリソースでＳＲＳを伝送するために使用される電力制御パラメータである。
【０１０４】
選択的に、前記取得ユニット３１０は、さらに、
前記複数のＳＲＩの中からターゲットＳＲＩを確定する前に、ネットワーク機器によって送信された対応関係情報を受信するように構成され、前記対応関係情報は、前記複数のＳＲＩの中の各ＳＲＩと少なくとも１つの電力制御パラメータとの対応関係を含む。
【０１０５】
選択的に、前記少なくとも１つの電力制御パラメータは、前記端末機器がアップリンク送信電力を確定するために使用される経路損失値を含み、または、前記少なくとも１つの電力制御パラメータは、前記端末機器がアップリンク送信電力を確定するための経路損失値を測定するために使用されるダウンリンク信号の情報を含む。
【０１０６】
選択的に、前記ダウンリンク信号は、ダウンリンク同期信号ブロック（ＳＳＢ）またはチャネル状態情報基準信号（ＣＳＩ−ＲＳ）を含む。
【０１０７】
選択的に、前記少なくとも１つの電力制御パラメータは、開ループ電力制御パラメータおよび／または閉ループ電力制御パラメータを含む。
【０１０８】
選択的に、前記取得ユニット３１０は、さらに、
前記アップリンクデータの送信電力にしたがって、前記アップリンクデータを送信するように構成される。
【０１０９】
選択的に、前記処理ユニット３２０は、さらに、前記アップリンクデータの送信電力にしたがって、電力ヘッドルームレポート（ＰＨＲ）を確定し、または、前記アップリンクデータの送信電力にしたがって、前記アップリンクデータを除く他のアップリンク信号の送信電力を確定するように構成される。
【０１１０】
前記取得ユニット３１０は、トランシーバによって実現することができ、前記処理ユニット３２０は、プロセッサによって実現することができることに留意されたい。図４に示されるように、端末機器４００は、プロセッサ４１０、トランシーバ４２０およびメモリ４３０を含み得る。ここで、メモリ４３０は、指示情報を記憶するために使用されてもよく、プロセッサ４１０によって実行されるコード、命令などを記憶するために使用されてもよい。端末機器４００の各コンポーネントは、バスシステムを介して接続され、ここで、バスシステムは、データバスに加えて、電力バス、制御バスおよびステータス信バスをさらに含む。
【０１１１】
図４に示される端末機器４００は、前述した図２の方法実施例において端末機器によって実現された各プロセスを実現することができ、繰り返しを回避するために、本明細書では詳細を再度説明しない。
【０１１２】
図５は、本発明の実施例のネットワーク機器の例示的なブロック図である。
【０１１３】
図５に示されるように、前記ネットワーク機器５００は、
複数のサウンディング基準信号リソースインジケータ（ＳＲＩ）を確定するように構成される処理ユニット５１０であって、前記複数のＳＲＩの中の各ＳＲＩは、少なくとも１つの電力制御パラメータに対応する処理ユニット５１０と、端末機器に前記複数のＳＲＩを送信するように構成されるトランシーバユニット５２０とを含む。
【０１１４】
選択的に、前記トランシーバユニット５２０は、具体的に、
前記端末機器にビットマップシーケンスを送信するように構成され、前記ビットマップシーケンスが複数のビットを含み、前記複数のビットは、前記複数のＳＲＩを指示する。
【０１１５】
選択的に、前記トランシーバユニット５２０は、さらに、
端末機器に前記複数のＳＲＩを送信する前に、前記端末機器に対応関係情報を送信するように構成され、前記対応関係情報は、前記複数のＳＲＩの中の各ＳＲＩと少なくとも１つの電力制御パラメータとの対応関係を含む。
【０１１６】
選択的に、前記処理ユニット５１０は、具体的に、
前記ターゲットＳＲＩの対応する少なくとも１つの電力制御パラメータを、前記アップリンクデータの電力制御パラメータとして確定するように構成される。
【０１１７】
選択的に、前記ターゲットＳＲＩは、前記複数のＳＲＩの中の複数の第２のＳＲＩであり、ここで、前記処理ユニット５１０は、さらに、
前記複数の第２のＳＲＩの対応する複数の電力制御パラメータに対して処理した後、前記アップリンクデータの電力制御パラメータを確定することができる。
【０１１８】
選択的に、前記少なくとも１つの電力制御パラメータは、前記端末機器がアップリンク送信電力を確定するために使用される経路損失値を含み、または、前記少なくとも１つの電力制御パラメータは、前記端末機器がアップリンク送信電力を確定するための経路損失値を測定するために使用されるダウンリンク信号の情報を含む。
【０１１９】
選択的に、前記少なくとも１つの電力制御パラメータは、前記端末機器がアップリンク送信電力を確定するために使用される経路損失値を含み、ここで、前記処理ユニット５１０は、具体的に、
前記複数の第２のＳＲＩのそれぞれに対応する経路損失値に対して加重平均した後、ターゲット経路損失値を取得し、前記ターゲット経路損失値を前記アップリンクデータのアップリンク送信電力を確定するために使用される経路損失値として確定するように構成される。
【０１２０】
選択的に、前記ダウンリンク信号は、ダウンリンク同期信号ブロック（ＳＳＢ）またはチャネル状態情報基準信号（ＣＳＩ−ＲＳ）を含む。
【０１２１】
選択的に、前記少なくとも１つの電力制御パラメータは、開ループ電力制御パラメータおよび／または閉ループ電力制御パラメータを含む。
【０１２２】
選択的に、前記トランシーバユニット５２０は、さらに、
前記端末機器により送信されたアップリンクデータを受信するように構成される。
【０１２３】
処理ユニット５１０はプロセッサによって実現されてもよく、トランシーバユニット５２０は、トランシーバによって実現されてもよいことに留意すべきである。図６に示されるように、ネットワーク機器６００は、プロセッサ６１０、トランシーバ６２０およびメモリ６３０を含み得る。ここで、メモリ６３０は、指示情報を記憶するために使用されてもよく、プロセッサ６１０によって実行されるコード、命令等を記憶するために使用されてもよい。ネットワーク機器６００中の各コンポーネントは、バスシステムを介して接続され、ここで、バスシステムは、データバスに加えて、電力バス、制御バスおよびステータス信号バスを含む。
【０１２４】
図６に示されるネットワーク機器６００は、前述した図２の方法実施例においてネットワーク機器によって実現された各プロセスを実現することができ、繰り返しを回避するために、本明細書では詳細を再度説明しない。即ち、本発明の実施例中の方法実施例は、プロセッサに適用されてもよく、またはプロセッサによって実現されてもよい。
【０１２５】
実現プロセスにおいて、本発明の実施例中の方法実施例の各ステップは、プロセッサ内のハードウェアの集積論理回路またはソフトウェアの形の命令によって完了することができる。より具体的に、本発明の実施例と組み合わせて開示される方法のステップは、ハードウェア復号化プロセッサに直接に具現されて実行し、それにより完了されてもよく、または復号化プロセッサ中のハードウェアおよびソフトウェアモジュールの組み合わせによって実行して完了されてもよい。ソフトウェアモジュールは、ランダムメモリ、フラッシュメモリ、読み取り専用メモリ、プログラム可能な読み取り専用メモリまたは電気的に消去可能なプログラマブルメモリ、レジスタ等の当技術分野の熟知する記憶媒体に配置されてもよい。前記記憶媒体はメモリ内に配置され、プロセッサはメモリ内の情報を読み取り、そのハードウェアと組み合わせて前記方法のステップを完了する。
【０１２６】
ここで、プロセッサは、信号処理能力を備える集積回路チップであってもよく、本発明の実施例で開示された各方法、ステップおよび論理ブロック図を実現または実行してもよい。例えば、前記したプロセッサは、汎用プロセッサ、デジタルシグナルプロセッサ（ＤＳＰ：ｄｉｇｉｔａｌ  ｓｉｇｎａｌ  ｐｒｏｃｅｓｓｏｒ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）または他のログラマブルロジックデバイス、トランジスタロジックデバイス、ディスクリートハードウェアコンポーネント等であってもよい。さらに、汎用プロセッサは、マイクロプロセッサであってもよく、または前記プロセッサは任意の従来のプロセッサ等であってもよい。
【０１２７】
さらに、本発明の実施例において、メモリは、揮発性メモリまたは不揮発性メモリであってもよく、または揮発性と不揮発性メモリの両方を含んでもよい。ここで、不揮発性メモリは、読み取り専用メモリ（ＲＯＭ：ｒｅａｄ−ｏｎｌｙ  ｍｅｍｏｒｙ）、プログラム可能な読み取り専用メモリ（ＰＲＯＭ：ｐｒｏｇｒａｍｍａｂｌｅ  ＲＯＭ）、消去可能なプログラム可能な読み取り専用メモリ（ＥＰＲＯＭ：ｅｒａｓａｂｌｅ  ＰＲＯＭ）、電気的に消去可能なプログラム可能な読み取り専用メモリ（ＥＥＰＲＯＭ：ｅｌｅｃｔｒｉｃａｌｌｙ  ＥＰＲＯＭ）またはフラッシュメモリであってもよい。揮発性メモリは、外部キャッシュとして使用されるランダムアクセスメモリ（ＲＡＭ：ｒａｎｄｏｍ  ａｃｃｅｓｓ  ｍｅｍｏｒｙ）であってもよい。前記メモリは、例示的であるが制限的な説明ではなく、例えば、本発明の実施例におけるメモリは、スタティックランダムアクセスメモリ（ＳＲＡＭ：ｓｔａｔｉｃ  ＲＡＭ）、ダイナミックランダムアクセスメモリ（ＤＲＡＭ：ｄｙｎａｍｉｃ  ＲＡＭ）、同期ダイナミックランダムアクセスメモリ（ＳＤＲＡＭ：ｓｙｎｃｈｒｏｎｏｕｓ  ＤＲＡＭ）、ダブルデータレートの同期ダイナミックランダムアクセスメモリ（ＤＤＲ  ＳＤＲＡＭ：ｄｏｕｂｌｅ  ｄａｔａ  ｒａｔｅ  ＳＤＲＡＭ）、拡張型同期ダイナミックランダムアクセスメモリ（ＥＳＤＲＡＭ：ｅｎｈａｎｃｅｄ  ＳＤＲＡＭ）、同期接続ダイナミックランダムアクセスメモリ（ＳＬＤＲＡＭ：ｓｙｎｃｈ  ｌｉｎｋ  ＤＲＡＭ）およびダイレクトメモリバスランダムアクセスメモリ（ＤＲ  ＲＡＭ：Ｄｉｒｅｃｔ  Ｒａｍｂｕｓ  ＲＡＭ）等であってもよいことを理解されたい。即ち、本明細書で説明されるシステムおよび方法のメモリは、これらおよび任意の他の適切なタイプのメモリを含むことが意図されているが、これらに限定されない。
【０１２８】
最後に、本発明の実施例および添付の特許請求の範囲で使用された用語は特定の実施例のみを説明するためのものであり、本発明の実施例を限定するものではないことに留意されたい。
【０１２９】
例えば、本発明の実施例および添付の特許請求の範囲で使用された単数形の「上記」、「前記」および「当該」は、文脈が他の意味を明確に示さない限り、複数形も含むものとする。
【０１３０】
別の例では、文脈に応じて、本明細書で使用される「…であるときに」という語は、「…ば」または「もし」または「…である場合」または「…に応答して確定する」または「…に応答して検出する」と解釈することができる。同様に、文脈に応じて、「確定すれば」または「検出すれば（述べられた条件またはイベント）」というフレーズは、「確定された場合」または「確定に応答して」または「検出（述べられた条件またはイベント）された場合」または「検出に応答して（述べられた条件またはイベント）」と解釈することができる。
【０１３１】
当業者は、本明細書で開示される実施例と組み合わせて説明された各例示のユニットおよびアルゴリズムステップは、電子ハードウェア、またはコンピュータソフトウェアと電子ハードウェアの組み合わせによって実現することができることを理解するであろう。これらの機能がハードウェアの形態で実行されるかソフトウェアの形で実行されるかは、技術的解決策の特定のアプリケーションと設計上の制約条件に依存する。専門技術者は、特定のアプリケーションごとに対して、異なる方法を使用して説明された機能を実現することができるが、このような実現は本発明の実施例の範囲を超えると見なされるべきではない。
【０１３２】
説明の便宜上および簡潔にするために、上記に説明されたシステム、装置およびユニットの具体的な作業プロセスは、前述の方法実施例中の対応するプロセスを参照することができ、ここでは繰り返さないことを当業者は明確に理解することができる。
【０１３３】
本出願で提供されるいくつかの実施例では、開示されたシステム、装置および方法は、他の方法で実現されることができることを理解されたい。例えば、上記で説明された装置実施例は例示的なものに過ぎず、例えば、前記ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。なお、表示または議論された相互結合または直接結合または通信接続は、電気的、機械的または他の形態の一部のインターフェース、装置またはユニットを介した関節結合または通信接続であり得る。
【０１３４】
前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際の必要に応じて、その中の一部または全部ユニットを選択して本発明の実施例の目的を実現することができる。
【０１３５】
なお、本発明の実施例における各機能ユニットは１つの処理ユニットに統合されてもよく、または各ユニットが物理的に別々に存在してもよく、２つまたは２つ以上のユニットを１つのユニットに統合してもよい。
【０１３６】
ソフトウェア機能ユニットの形で実現され、独立した製品として販売または使用される場合、コンピュータ読み取り可能な記憶媒体に記憶することができる。このような理解に基づいて、本発明の実施例の技術的解決策は、本質的にまたは先行技術に対して寄与する部分または前記技術的解決策の一部は、ソフトウェア製品の形で具現されることができ、前記コンピュータソフトウェア製品は、１つの記憶媒体に記憶され、コンピュータ機器（パーソナルコンピュータ、サーバ、またはネットワーク機器等であり得る）に本発明の実施例に記載の方法の全部または一部のステップを実行させるためのいくつかの命令を含む。前述した記憶媒体は、Ｕディスク、モバイルハードディスク、読み取り専用メモリ、ランダムアクセスメモリ、磁気ディスクまたは光ディスク等のプログラムコードを記憶することができる様々な媒体を含む。
【０１３７】
上記の内容は、本発明の実施例の具体的な実施形態に過ぎないが、本発明の実施例の保護範囲はこれに限定されず、当業者は、本発明の実施例に開示された技術的範囲内で容易に想到し得る変更または置換は、すべて本発明の実施例の保護範囲内に含まれるべきである。したがって、本発明の実施例の保護範囲は、特許請求の範囲の保護範囲に従うものとする。
【図１】
2021503203.tif 000005
【図２】
2021503203.tif 000006
【図３】
2021503203.tif 000007
【図４】
2021503203.tif 000008
【図５】
2021503203.tif 000009
【図６】
2021503203.tif 000010
【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
データの伝送方法であって、
端末機器が、アップリンクデータをスケジュールするダウンリンク制御情報（ＤＣＩ）から複数のサウンディング基準信号リソースインジケータ（ＳＲＩ）を取得することであって、前記複数のＳＲＩの中の各ＳＲＩが、少なくとも１つの電力制御パラメータに対応することと、
前記端末機器が、前記複数のＳＲＩの中からターゲットＳＲＩを確定することと、
前記端末機器が、前記ターゲットＳＲＩの対応する少なくとも１つの電力制御パラメータに基づいて、前記アップリンクデータの電力制御パラメータを確定することと、
前記端末機器が、前記アップリンクデータの電力制御パラメータに基づいて、前記アップリンクデータの送信電力を確定することとを含むことを特徴とする、前記データの伝送方法。
【請求項２】
前記端末機器が前記複数のＳＲＩの中からターゲットＳＲＩを確定することは、
前記端末機器が、前記複数のＳＲＩの中から、前記アップリンクデータの伝送と同じビームまたは同じアンテナセットを使用してＳＲＳを伝送するＳＲＳリソースの対応するＳＲＩを前記ターゲットＳＲＩとして確定することを含むことを特徴とする、
請求項１に記載のデータの伝送方法。
【請求項３】
前記アップリンクデータには、前記ＤＣＩによってスケジュールされた物理アップリンク共有チャネル（ＰＵＳＣＨ）によって搬送されるアップリンクデータの一部が含まれることを特徴とする、
請求項１に記載のデータの伝送方法。
【請求項４】
前記ＰＵＳＣＨによって搬送されるアップリンクデータは、Ｎ個の伝送層のデータを含み、前記アップリンクデータは、前記Ｎ個の伝送層中のＭ個の伝送層のデータを含み、Ｎ＞Ｍ＞０であり、
前記ターゲットＳＲＩは、前記Ｍ個の伝送層のデータに対応することを特徴とする、
請求項３に記載のデータの伝送方法。
【請求項５】
前記端末機器が前記複数のＳＲＩの中からターゲットＳＲＩを確定する前に、前記方法は、
前記端末機器が、ネットワーク機器によって送信された対応関係情報を受信することであって、前記対応関係情報は、前記複数のＳＲＩの中の各ＳＲＩと少なくとも１つの電力制御パラメータとの対応関係を含むことをさらに含むことを特徴とする、
請求項１ないし４のいずれか一項に記載のデータの伝送方法。
【請求項６】
前記端末機器が、前記ターゲットＳＲＩの対応する少なくとも１つの電力制御パラメータに基づいて、前記アップリンクデータの電力制御パラメータを確定することは、
前記端末機器が、前記ターゲットＳＲＩの対応する少なくとも１つの電力制御パラメータを前記アップリンクデータの電力制御パラメータとして確定することを含むことを特徴とする、
請求項１ないし５のいずれか一項に記載のデータの伝送方法。
【請求項７】
前記ターゲットＳＲＩは、前記複数のＳＲＩの中の複数の第２のＳＲＩであり、前記端末機器が、前記ターゲットＳＲＩの対応する少なくとも１つの電力制御パラメータに基づいて、前記アップリンクデータの電力制御パラメータを確定することは、前記端末機器が、前記複数の第２のＳＲＩの対応する複数の電力制御パラメータを処理した後、前記アップリンクデータの電力制御パラメータを確定することを含み、
又は、
前記少なくとも１つの電力制御パラメータは、前記端末機器がアップリンク送信電力を確定するために使用される経路損失値を含み、または、前記少なくとも１つの電力制御パラメータは、前記端末機器がアップリンク送信電力を確定するための経路損失値を測定するために使用されるダウンリンク信号の情報を含み、
又は、
前記少なくとも１つの電力制御パラメータは、開ループ電力制御パラメータおよび／または閉ループ電力制御パラメータを含む、
請求項１ないし６のいずれか一項に記載のデータの伝送方法。
【請求項８】
端末機器であって、
アップリンクデータをスケジュールするダウンリンク制御情報（ＤＣＩ）から、複数のサウンディング基準信号リソースインジケータ（ＳＲＩ）を取得するように構成される取得ユニットであって、前記複数のＳＲＩの中の各ＳＲＩが、少なくとも１つの電力制御パラメータに対応する取得ユニットと、
前記複数のＳＲＩの中からターゲットＳＲＩを確定し、
前記ターゲットＳＲＩの対応する少なくとも１つの電力制御パラメータに基づいて、前記アップリンクデータの電力制御パラメータを確定し、
前記アップリンクデータの電力制御パラメータに基づいて、前記アップリンクデータの送信電力を確定するように構成される処理ユニットとを含むことを特徴とする、前記端末機器。
【請求項９】
前記処理ユニットは、具体的に、
前記複数のＳＲＩの中から、前記アップリンクデータの伝送と同じビームまたは同じアンテナセットを使用してＳＲＳを伝送するＳＲＳリソースの対応するＳＲＩを前記ターゲットＳＲＩとして確定するように構成され、
又は、
前記処理ユニットは、具体的に、
前記複数のＳＲＩの中から、前記アップリンクデータと擬似コロケーション関係を有するＳＲＳリソースの対応するＳＲＩを前記ターゲットＳＲＩとして確定するように構成され、
又は、
前記アップリンクデータには、前記ＤＣＩによってスケジュールされた物理アップリンク共有チャネル（ＰＵＳＣＨ）によって搬送されるアップリンクデータの一部が含まれることを特徴とする、
請求項８に記載の端末機器。
【請求項１０】
前記ＰＵＳＣＨによって搬送されるアップリンクデータは、Ｎ個の伝送層のデータを含み、前記アップリンクデータは、前記Ｎ個の伝送層中のＭ個の伝送層のデータを含み、Ｎ＞Ｍ＞０であり、
前記ターゲットＳＲＩは、前記Ｍ個の伝送層のデータに対応することを特徴とする、
請求項９に記載の端末機器。
【請求項１１】
前記取得ユニットは、さらに、
前記複数のＳＲＩの中からターゲットＳＲＩを確定する前に、ネットワーク機器によって送信された対応関係情報を受信するように構成され、前記対応関係情報は、前記複数のＳＲＩの中の各ＳＲＩと少なくとも１つの電力制御パラメータとの対応関係を含むことを特徴とする、
請求項８ないし１０のいずれか一項に記載の端末機器。
【請求項１２】
前記処理ユニットは、具体的に、
前記ターゲットＳＲＩの対応する少なくとも１つの電力制御パラメータを前記アップリンクデータの電力制御パラメータとして確定するように構成されることを特徴とする、
請求項８ないし１１のいずれか一項に記載の端末機器。
【請求項１３】
前記ターゲットＳＲＩは、前記複数のＳＲＩの中の複数の第２のＳＲＩであり、
前記処理ユニットは、さらに、
前記複数の第２のＳＲＩの対応する複数の電力制御パラメータに対して処理した後、前記アップリンクデータの電力制御パラメータを確定するように構成されることを特徴とする、
請求項８ないし１１のいずれか一項に記載の端末機器。
【請求項１４】
前記少なくとも１つの電力制御パラメータは、前記端末機器がアップリンク送信電力を確定するために使用される経路損失値を含み、または、前記少なくとも１つの電力制御パラメータは、前記端末機器がアップリンク送信電力を確定するための経路損失値を測定するために使用されるダウンリンク信号の情報を含むことを特徴とする、
請求項８ないし１３のいずれか一項に記載の端末機器。
【請求項１５】
前記少なくとも１つの電力制御パラメータは、開ループ電力制御パラメータおよび／または閉ループ電力制御パラメータを含むことを特徴とする、
請求項８ないし１４のいずれか一項に記載の端末機器。
【国際調査報告】
2021503203.tif 000011
2021503203.tif 000012
2021503203.tif 000013
2021503203.tif 000014